(57)【要約】    【課題】  ハトメする基材の厚みやハトメする位置に拘らずに使用可能なハトメ部材装着用工具を提供することである。【解決手段】  シートやカーテン等に設ける孔を補強するハトメ部材を装着する工具であって、パンチ下型を備えている下型支持板とパンチ上型を備えている上型支持板とをヒンジ部で連結して、前記パンチ下型と前記パンチ上型とを開閉自在に構成すると共に、前記ヒンジ部を構成するピン部材を抜き差し自在として、前記下型支持板と前記上型支持板とを分離可能な構成とした。【選択図】    図１
0003103307.tif 000002
【実用新案登録請求の範囲】
【請求項１】
シートやカーテン等に設ける孔を補強するハトメ部材を装着する工具であって、
パンチ下型を備えている下型支持板とパンチ上型を備えている上型支持板とをヒンジ部で連結して開閉自在に構成すると共に、前記ヒンジ部を構成するピン部材を抜き差し自在として、前記下型支持板と前記上型支持板とを分離可能な構成としたことを特徴とするハトメ部材装着用工具。
【請求項２】
前記ピン部材をピン本体と折り曲げ部とで構成し、前記ピン本体がヒンジ部の幅と略同じ長さの心棒部と該心棒部に設ける突出部とを備えており、該突出部に前記折り曲げ部を折り曲げ自在に装着することで、該折り曲げ部を前記ピン本体に対して屈曲自在として、前記ピン部材をヒンジ部に挿入した後前記折り曲げ部を屈曲させて折りたたみ、前記下型支持板と前記上型支持板とを連結する構成としていることを特徴とする請求項１に記載のハトメ部材装着用工具。
【請求項３】
前記ピン部材をピン本体とネジ部とで構成し、前記ピン本体がヒンジ部の幅より僅かに長い長さの心棒部であって、該心棒部の径よりも小径のネジ部を前記心棒部から突出して延設すると共に、前記ネジ部にナット部材を螺着する構成として、前記ピン部材をヒンジ部に挿入した後前記ナット部材を螺着して、前記下型支持板と前記上型支持板とを連結する構成としていることを特徴とする請求項１に記載のハトメ部材装着用工具。
【請求項４】
前記ナット部材が蝶ナットであることを特徴とする請求項３に記載のハトメ部材装着用工具。
【請求項５】
前記ヒンジ部が、前記下型支持板と前記上型支持板との端部を櫛状に切り込み、該櫛状端部を円筒状に丸めて、櫛型蝶番状に噛み合わせた構成としていることを特徴とする請求項１から４のいずれかに記載のハトメ部材装着用工具。
【請求項６】
前記下型支持板と前記上型支持板とのそれぞれの中央部に円弧状凸部を設けて丸みを備える構成としていることを特徴とする請求項１から５のいずれかに記載のハトメ部材装着用工具。
【請求項７】
前記パンチ下型と前記パンチ上型とが、共に、ハトメ部材を収容する環状溝部を備えていることを特徴とする請求項１から６のいずれかに記載のハトメ部材装着用工具。
【考案の詳細な説明】
【技術分野】
【０００１】
本考案は、シートやカーテン等の基材に設ける孔を補強するハトメ部材を装着する工具に係り、さらに詳しくは、前記基材の大きさに拘らずに基材の所定の位置にハトメ部材を装着可能なハトメ部材装着用工具に関するものである。
【背景技術】
【０００２】
従来、シートやカーテン等の基材に孔を設けて、紐やロープを通したり、金具等の部材を装着することが行われている。また、前記孔を補強するために、該孔に円環状の金属部材（真鍮製やアルミ製のハトメ部材）を装着している。
【０００３】
前記ハトメ部材を前記孔に装着する際には、表ハトメに基材の穴を合致させるように前記基材を載置して、その上からリング状の裏座を押し付けて、又は、打ち付けてカシメるようにして装着している。
【０００４】
ハトメ部材をカシメる方法には、大別して、ハンドルを握るタイプ（ハトメパンチ）と、木槌や金槌等で打ち付けるタイプ（アイレットパンチ）の２種類ある。また、前記ハトメパンチとアイレットパンチを組み合わせて、ハンドルを握ってさらに打ち付けるタイプもある。
【０００５】
また、ハトメ部の形状をその全周にわたって均一な形状にカシメ加工するために、ハトメ部材を圧接するための環状溝部と内周方向への変形を防止するための突出部を備えたハトメ部材取付け工具が既に公開されている（例えば、特許文献１参照）。
【特許文献１】特開２００２−３６１３３９号公報（第１−４頁、第１図）
【考案の開示】
【考案が解決しようとする課題】
【０００６】
シートやカーテン等の比較的薄い基材にハトメ部材を装着する際に、その装着する位置が基材端から近い位置の場合では、所定の腕長さを備えるハンドルタイプのハトメパンチを用いることができる。
【０００７】
しかし、ハトメする基材が厚みのある場合やハトメする位置が基材端から遠い場合では、ハンドルタイプのハトメパンチでは無理であり、雌型であるパンチ下型と雄型であるパンチ上型とを別体とし、基材を挟んで上下に配設した後で、木槌や金槌等で打ち付けて装着する必要がある。
【０００８】
そのために、種々の基材にハトメ部材を装着する場合には、腕長さの異なる複数種類のハトメパンチや、アイレットパンチを用意しておく必要があった。
【０００９】
本考案の目的は、ハトメする基材の厚みやハトメする位置に拘らずに使用可能なハトメ部材装着用工具を提供することである。
【課題を解決するための手段】
【００１０】
上記の目的を達成するために請求項１に係る考案は、シートやカーテン等に設ける孔を補強するハトメ部材を装着する工具であって、パンチ下型を備えている下型支持板とパンチ上型を備えている上型支持板とをヒンジ部で連結して開閉自在に構成すると共に、前記ヒンジ部を構成するピン部材を抜き差し自在として、前記下型支持板と前記上型支持板とを分離可能な構成としたことを特徴としている。
【００１１】
上記の構成を有する請求項１に係る考案によれば、パンチ下型を備えている下型支持板とパンチ上型を備えている上型支持板とを開閉自在に組み付けて、ハトメパンチとして使用できる。また、前記下型支持板と前期上型支持板とを分離して別体として、アイレットパンチとして使用することもできる。
【００１２】
請求項２に係る考案は、前記ピン部材をピン本体と折り曲げ部とで構成し、前記ピン本体がヒンジ部の幅と略同じ長さの心棒部と該心棒部に設ける突出部とを備えており、該突出部に前記折り曲げ部を折り曲げ自在に装着することで、該折り曲げ部を前記ピン本体に対して屈曲自在として、前記ピン部材をヒンジ部に挿入した後前記折り曲げ部を屈曲させて折りたたみ、前記下型支持板と前記上型支持板とを連結する構成としていることを特徴とする。
【００１３】
上記の構成を有する請求項２に係る考案によれば、ピン部材の折り曲げ部をピン本体に対して延ばしたり屈曲させるだけで、ヒンジ部からピン部材を抜き差しして前記下型支持板と前記上型支持板との連結と分離を行うことができる。
【００１４】
請求項３に係る考案は、前記ピン部材をピン本体とネジ部とで構成し、前記ピン本体がヒンジ部の幅より僅かに長い長さの心棒部であって、該心棒部の径よりも小径のネジ部を前記心棒部から突出して延設すると共に、前記ネジ部にナット部材を螺着する構成として、前記ピン部材をヒンジ部に挿入した後前記ナット部材を螺着して、前記下型支持板と前記上型支持板とを連結する構成としていることを特徴とする。
【００１５】
上記の構成を有する請求項３に係る考案によれば、ナット部材を着脱してピン部材を抜き差しして、前記下型支持板と前記上型支持板との連結と分離を行うことができる。
【００１６】
請求項４に係る考案は、前記ナット部材が蝶ナットであることを特徴とする。
【００１７】
上記の構成を有する請求項４に係る考案によれば、スパナ等の工具なしで、ナット部材を着脱することができる。
【００１８】
請求項５に係る考案は、前記ヒンジ部が、前記下型支持板と前記上型支持板との端部を櫛状に切り込み、該櫛状端部を円筒状に丸めて、櫛型蝶番状に噛み合わせた構成としていることを特徴とする。
【００１９】
上記の構成を有する請求項５に係る考案によれば、板金製の支持板端部をそのまま加工してヒンジ部を構成するので、他のヒンジ部材が不要であり安価な構成となる。
【００２０】
請求項６に係る考案は、前記下型支持板と前記上型支持板とのそれぞれの中央部に円弧状凸部を設けて丸みを備える構成としていることを特徴とする。
【００２１】
上記の構成を有する請求項６に係る考案によれば、前記支持板を把持してカシメ作業する際に安全であり、傷付くことがない。
【００２２】
請求項７に係る考案は、前記パンチ下型と前記パンチ上型とが、共に、ハトメ部材を収容する環状溝部を備えていることを特徴とする。
【００２３】
上記の構成を有する請求項７に係る考案によれば、ハトメ部材を正確な位置に保持することができ、正しい位置に安全にハトメ部材を装着することができる。
【考案の効果】
【００２４】
本考案によれば、パンチ下型を備えている下型支持板とパンチ上型を備えている上型支持板とを開閉自在に組み付けたハトメパンチとしても、また、前記下型支持板と前期上型支持板とを分離して別体としたアイレットパンチとしても使用することもでき、ハトメする基材の厚みやハトメする位置に拘らずに使用可能なハトメ部材装着用工具を得ることができる。
【考案を実施するための最良の形態】
【００２５】
ハトメする基材の厚みやハトメする位置に拘らずに使用可能なハトメ部材装着用工具を得るという目的を、パンチ下型を備えている下型支持板とパンチ上型を備えている上型支持板とをヒンジ部で連結して、前記パンチ下型と前記パンチ上型とを開閉自在に構成すると共に、前記ヒンジ部を構成するピン部材を抜き差し自在として、前記下型支持板と前記上型支持板とを分離可能な構成とすることで実現した。
【実施例】
【００２６】
以下、本考案に係るハトメ部材装着用工具の実施例について、図１から図４に基づいて説明する。
【００２７】
本考案に係るハトメ部材装着用工具１は、シートやカーテン等の基材に予めポンチ等にて穿孔された孔部を補強するために、真鍮製やアルミ製のハトメ部材を装着する工具であって、図１および図３（ａ）に示すように、パンチ下型２を備えている下型支持板２０とパンチ上型３を備えている上型支持板３０とをヒンジ部１０で連結して開閉自在に構成している。そのために、前記ヒンジ部１０を開閉支点として、前記パンチ下型２と前記パンチ上型３とが接離自在な構成となっている。
【００２８】
図３（ｂ）に示すように、基材４に設けた孔４ａにハトメ部材５を装着する際には、ハトメ部材５を構成する表ハトメ５０を前記孔４ａに装着して、その上にリング状の裏座６０を載置して前記パンチ下型２とパンチ上型３とで、前記表ハトメ５０と裏座６０とを圧縮してカシメる構成である。
【００２９】
また、ヒンジ部１０は図１に示すように、下型支持板２０の端部を櫛状に切り込み、該櫛状端部を円筒状に丸めた連結部２１と、上型支持板３０の端部を櫛状に切り込み、該櫛状端部を円筒状に丸めた連結部３１とを櫛型蝶番状に噛み合わせて、ピン部材１１を差し込んだ構成である。
【００３０】
この時に、図２（ａ）に示すように、前記ピン部材１１をピン本体１２と折り曲げ部１３とで構成すると共に、前記ピン本体１２をヒンジ部の幅Ｈと略同じか僅かに長い長さＬの心棒部１２ａと該心棒部１２ａに設ける突出部１２ｂとで構成し、該突出部１２ｂに前記折り曲げ部１３を折り曲げ自在に装着する構成とした。これは、前記折り曲げ部１３に切込部１３ａを設け、該切込部１３ａに前記突出部１２ｂを挿入してピン１４を嵌装してピン止めした構成とすることで達成できる。また、この時に、前記突出部１２ｂと前記折り曲げ部１３との嵌め合いの緩さを適度な嵌め合いとすることで、作業者の手作業で軽く折り曲げることができる程度にすることが可能である。
【００３１】
そのために、下型支持板２０と上型支持板３０とをそれぞれの円筒状に丸めた連結部同士を櫛型蝶番状に噛み合わせて、前記折り曲げ部１３をピン本体１２に対して延ばした状態でピン部材１１を差し込み、前記ヒンジ部の幅Ｈよりも突出した位置に突き出ている前記折り曲げ部１３を屈曲させて折りたたんで、ヒンジ部１０を形成している。
【００３２】
この時に、ピン部材１１の心棒部１２ａの長さＬを前記ヒンジ部の幅Ｈと略同じ長さとすることで、前記折り曲げ部１３を屈曲させて折りたたんだ際に、隙間なくきっちりと前記下型支持板２０と前記上型支持板３０とを連結することができ好適である。
【００３３】
また、図２（ｂ）に示すように、ヒンジ部の幅Ｈより僅かに長い長さＬＡの心棒部１２ｃと、該心棒部１２ｃから突出して延設すると共に前記心棒部１２ｃの径よりも小径のネジ部１２ｄを備えるピン部材１１Ａを採用して、前記ネジ部にナット部材１５を螺着してヒンジ部１０Ａを構成してもよい。
【００３４】
前記心棒部１２ｃの長さＬＡはヒンジ部の幅Ｈより僅かに長い寸法としているので、ナット部材１５を螺着して締め付けても、連結する下型支持板２０と上型支持板３０との開閉動作が容易に行える。また、前記ナット部材１５として蝶ナット１５Ａを用いれば、スパナ等の工具なしで、作業者が手作業にて簡単に締め付けたり、緩めたりすることができるので好適である。
【００３５】
次に図４により、シートやカーテン等の基材に孔を設けて、該孔を補強するハトメ部材を装着するハトメ作業について説明する。
【００３６】
シートやカーテン等の基材４のハトメする位置に予め孔を設ける。次いでこの孔にハトメ部材５を構成する表ハトメ５０を装着して、その上からリング状の裏座６０を押し付けて、又は、打ち付けてカシメるようにして装着している。
【００３７】
前記表ハトメ５０は、環状の基部５１と該基部５１の中央部に筒状の突出したハトメ部５２とから形成されていると共に、前記基部５１には環状の凸部５１ａ（図中の下側に向けて突出している）を有している。
【００３８】
また、前記表ハトメ５０と対をなす前記裏座６０は、筒状のハトメ部５２が挿通する孔部６１を備えるリング状部材であって、その周縁部に折り返し部６２を設けていると共に、リング状の内径部には図中の下側に向けて突出した凹部６３が形成されている。
【００３９】
ハトメする際には、前記表ハトメ５０をハトメ部材装着用工具１のパンチ下型２に載置して、表ハトメ５０の筒状のハトメ部５２に裏座６０を嵌着して、前記ハトメ部５２にパンチ上型３を係合させる。
【００４０】
前記パンチ下型２は、その軸心部に貫通孔２ｂを備えていると共に、表ハトメ５０の基部５１に設けた環状の凸部５１ａを収容する環状溝部２ａを有している。また、パンチ上型３は、平面部３ａと、その中央部に位置するテーパ状の突出部３ｂと、該突出部の根元に環状溝部３ｃを備えている。
【００４１】
そのために、基材４の孔部を貫通するように前記表ハトメ５０を装着し、その上に裏座６０を想像線に示す位置６０Ａに載置して、ハトメ部材５を上下からハトメ部材装着用工具１のパンチ下型２とパンチ上型３とで挟み込んで押圧して又は打撃してカシメる際に、前記ハトメ部材５を確実に保持しながら、前記環状溝部３ｃに係合するハトメ部５２を押圧して変形させ、前記裏座６０の凹部６３に圧接してカシメることができる。
【００４２】
また、上記したように、前記パンチ下型２は、その軸心部に貫通孔２ｂを備えているので、パンチ下型２とパンチ上型３とで挟み込んで押圧して又は打撃してカシメる際に、圧縮される空気を逃がすことができ、背圧を生じずにカシメることができる。
【００４３】
ハトメ部材５を構成する表ハトメ５０と裏座６０とは、いずれも真鍮製あるいはアルミ製の薄い板金製であって、作業者が下型支持板２０と上型支持板３０とを把持して押圧するか若しくは打ち付けることで、前記ハトメ部５２を容易に変形させてカシメることができる。
【００４４】
また、打ち付けてカシメる際の打撃に耐えるように、前記下型支持板２０の端部２０ａと前記上型支持板３０の端部３０ａとを板金を折り返して２重構造として強度を持たせる構成としている。
【００４５】
さらに、前記下型支持板２０の略中央部に円弧状凸部２２を形成し、また、上型支持板３０の略中央部に円弧状凸部３２を設けて山形状の丸みのある把手部を形成している（図１参照）。このような構成とすれば、板金製の下型支持板２０と上型支持板３０であっても、それぞれの円弧状凸部を、安全にまたしっかりと片手で掴むように把持することができる。
【００４６】
もちろん、ピン部材１１をヒンジ部１０から抜き取って、下型支持板２０と上型支持板３０とを分離し、図３（ｂ）に示すように、前記下型支持板２０と前記上型支持板３０とを平行状態にして基材４の上下に配置してハトメを行う際にも、上型支持板３０の円弧状凸部３２を片手で把持して、他方の手で木槌等で打撃することで、安全に確実にハトメ作業を行うことができる。
【００４７】
上記したように本考案に係るハトメ部材装着用工具１は、パンチ下型を備えている下型支持板とパンチ上型を備えている上型支持板とをヒンジ部で連結して開閉自在に構成すると共に、前記ヒンジ部を構成するピン部材を抜き差し自在として、前記下型支持板と前記上型支持板とを分離可能な構成としたので、ハトメする位置が基材端に近い場合や基材が薄い場合には、下型支持板と上型支持板とを連結状態としたハトメパンチとして使用することができる。また、ハトメする基材が厚い場合やハトメする位置が基材端から距離がある場合には、下型支持板と上型支持板とを分離状態にして、アイレットパンチとして使用することができる。
【００４８】
つまり、本考案によれば、ハトメする基材の厚みやハトメする位置に拘らずに使用可能なハトメ部材装着用工具を得ることができる。
【００４９】
さらには、ヒンジ部に装着するピン部材を抜き差し自在とすると共に、前記ピン部材に屈曲部を設けて折り曲げ自在、もしくは、ピン部材にネジ部を設けて手動でナット止めする構成としているので、スパナ等の工具なしで、前記ハトメ部材装着用工具１を一体的に組み立てることができ、あるいは分離することができる。
【図面の簡単な説明】
【００５０】
【図１】本考案に係るハトメ部材装着用工具の構成を示す斜視図である。
【図２】本考案に係るハトメ部材装着用工具を示す斜視図であって、（ａ）は折り曲げ自在なピン部材を備えるハトメ部材装着用工具であり、（ｂ）はネジ部を有するピン部材を備えるハトメ部材装着用工具である。
【図３】本考案に係るハトメ部材装着用工具の使用例を示す側面図であって、（ａ）はハトメパンチとして使用する例であり、（ｂ）はアイレットパンチとして使用する例である。
【図４】ハトメ部材を装着するパンチ部分を示す拡大断面図である。
【符号の説明】
【００５１】
１  ハトメ部材装着用工具
２  パンチ下型
２ａ  環状溝部
３  パンチ上型
３ｃ  環状溝部
４  基材
５  ハトメ部材
１０  ヒンジ部
１１  ピン部材
１２  ピン本体
１２ａ  心棒部
１２ｂ  突出部
１２ｃ  心棒部
１２ｄ  ネジ部
１３  屈曲部
１５  ナット部材
１５Ａ  蝶ナット
２０  下型支持板
２２  円弧状凸部
３０  上型支持板
３２  円弧状凸部
５０  表ハトメ
６０  裏座
【図１】
0003103307.tif 000003
【図２】
0003103307.tif 000004
【図３】
0003103307.tif 000005
【図４】
0003103307.tif 000006